(57)【特許請求の範囲】
【請求項１】
インスタントフイルムを展開ローラの間を通すように送り出しながら、主走査方向と平行なライン状の光を色ごとに発生する発光ヘッドによって、インスタントフイルムの感光面を１プリントサイクルごとに順次に露光し、前記展開ローラによって前記感光面に現像液を展開させて現像転写しポジ像を得るインスタントプリンタにおいて、
前記インスタントフイルムの送り速度を検出する速度検出手段と、この速度検出手段によって検出された送り速度に応じて前記発光ヘッドの発光タイミングを制御する制御手段とを備え、前記制御手段は、画像データに応じて決まる前記発光ヘッドの発光時間を、一定数に分割して、前記送り速度に応じて決まる１プリントサイクルに均等に分散させることを特徴とするインスタントプリンタ。
【請求項２】
前記速度検出手段は、前記インスタントフイルム上に送り方向に沿って一定ピッチでマークが配置されてなる速度検出用トラックに対して赤外線を投光する投光器と、この反射光を受光する受光器と、この受光器の検出信号に基づいて送り速度を求める信号処理回路とからなることを特徴とする請求項１記載のインスタントプリンタ。
【請求項３】
前記発光ヘッドは、主走査方向に多数の発光素子を並べた発光素子アレイを複数の色分だけ副走査方向に並べたマルチ発光ヘッドで構成されていることを特徴とする請求項１または２記載のインスタントプリンタ。
【請求項４】
前記発光ヘッドは、前記複数の色を個別に発光する発光素子と、これらの発光素子に一方の端面が対面し、主走査方向に延びた細長い光導体と、この光導体にその長手方向に沿って形成され、前記一方の端面から光導体に入射した光を拡散反射させる拡散反射層と、この拡散反射層で反射され光導体の長手方向に沿って射出されるライン状の光にドットごとに濃淡を与える液晶アレイと、液晶アレイの濃淡画像をインスタントフイルムに結像させるレンズアレイとからなることを特徴とする請求項１または２記載のインスタントプリンタ。
【請求項５】
被写体画像を撮像して撮像信号を出力するイメージセンサ、前記撮像信号をデジタル変換した画像データを記憶するメモリを有する電子撮像部を一体的又は分離可能に備えたことを特徴とする請求項１〜４のいずれかに記載のインスタントプリンタ。
【発明の詳細な説明】
【０００１】
【発明の属する技術分野】
本発明はインスタントプリンタに関するものである。
【０００２】
【従来の技術】
インスタントカメラに装填して使用されるインスタントフイルムパックが知られている。また、このインスタントフイルムパックを用いて、発光素子を備えたマルチ発光ヘッドによりインスタントフイルムの感光面を露光し、三色面順次記録により、フルカラー画像をプリントすることも行われている。
【０００３】
【発明が解決しようとする課題】
このようなインスタントフイルムを用いたインスタントプリンタにおいて、三色面順次記録によりフルカラー画像を記録する場合には、マルチ発光ヘッドを少なくとも３回移動する必要があった。このため、フルカラー画像の記録時間が長くなるという問題がある。
【０００４】
本発明は上記課題を解決するためのものであり、フルカラー画像の記録時間を短縮し、かつ、インスタントフイルムの送り速度むらによる濃度むら及び色むらの発生を抑えることができるインスタントプリンタを提供することを目的とする。
【０００５】
【課題を解決するための手段】
上記目的を達成するために、本発明は、インスタントフイルムを展開ローラの間を通すように送り出しながら、主走査方向と平行なライン状の光を色ごとに発生する発光ヘッドによって、インスタントフイルムの感光面を１プリントサイクルごとに順次に露光し、前記展開ローラによって前記感光面に現像液を展開させて現像転写しポジ像を得るインスタントプリンタにおいて、前記インスタントフイルムの送り速度を検出する速度検出手段と、この速度検出手段によって検出された送り速度に応じて前記発光ヘッドの発光タイミングを制御する制御手段とを備え、前記制御手段は、画像データに応じて決まる前記発光ヘッドの発光時間を、一定数に分割して、前記送り速度に応じて決まる１プリントサイクルに均等に分散させる構成にしてある。
【０００６】
前記速度検出手段は、前記インスタントフイルム上に送り方向に沿って一定ピッチでマークが配置されてなる速度検出用トラックに対して赤外線を投光する投光器と、この反射光を受光する受光器と、この受光器の検出信号に基づいて送り速度を求める信号処理回路とからなることが好ましい。
【０００７】
前記発光ヘッドは、主走査方向に多数の発光素子を並べた発光素子アレイを複数の色分だけ設け、これらの発光素子アレイを副走査方向に並べたマルチ発光ヘッドで構成されていることが好ましい。また、前記発光ヘッドは、複数の色を個別に発光する発光素子と、これらの発光素子に一方の端面が対面し、主走査方向に延びた細長い透明な光導体と、この光導体の表面にその長手方向に沿って形成された拡散反射層と、この拡散反射層で反射され光導体の長手方向に沿ってライン状に射出される光にドットごとに濃淡を与える液晶アレイと、液晶アレイの濃淡画像をインスタントフイルムに結像させるレンズアレイとから構成してもよい。
【０００８】
更に、被写体画像を撮像して撮像信号を出力するイメージセンサ、前記撮像信号をデジタル変換した画像データを記憶するメモリを有する電子撮像部を一体的又は分離可能に備えることが好ましい。
【０００９】
【発明の実施の形態】
図２は、本発明のインスタントプリンタを内蔵した電子スチルカメラの正面側の外観を示す斜視図である。電子スチルカメラ１０は薄型箱状に形成されており、カメラボディ１１内に、撮像部とプリンタ部とが配置されている。そして、カメラボディ１１には電池室を兼ねたグリップ部１２が設けられている。グリップ部１２は正面から見て左側に配置されており、内部に電池１３（図４参照）が収納されている。
【００１０】
カメラボディ１１の正面中央部には撮影レンズ１４が設けられている。この撮影レンズ１４の背後には、ＣＣＤイメージセンサを含む撮像部１５（図１参照）が設けられている。また、撮影レンズ１４の近くにはＡＥ受光部１６が設けられている。このＡＥ受光部１６からの被写体輝度信号は図示しないＡＥ調節部に送られ、ここで、撮影に際して周知のように自動露光調節がされる。また、グリップ部１２の近くでその上部にはシャッタボタン１７が設けられている。シャッタボタン１７を押すと撮影レンズ１４を通して一回の撮像が行われる。なお、必要に応じて、ストロボ発光部や、オートフォーカス装置、ズームレンズ等を設けてもよい。
【００１１】
図３に示すように、カメラボディ１１の裏面にはパック装填蓋２３が設けられている。パック装填蓋２３は、ボディ１１の下部にヒンジ部２４を介して開閉自在に取り付けられている。このパック装填蓋２３は通常は閉じ位置にロックされており、図１に示すように、フイルムパック２５を装填したり取り出したりするときに、スライドつまみ２６を操作することにより開放される。パック装填蓋２３の上方で右側にはカウンタ窓２７が設けられており、このカウンタ窓２７には、インスタントフイルム２８の使用枚数が表示される。
【００１２】
パック装填蓋２３には、液晶表示パネル（ＬＣＤパネル）２１と操作パネル２２とが配置されている。ＬＣＤパネル２１は、撮影レンズ１４を通して撮像される被写体画像をリアルタイムで表示し、いわゆる電子ビューファインダーを構成している。操作パネル２２には、撮像／再生のモード切替えキー，コマ選択キー，プリントスタートキー，画像データの消去ボタン，外部機器との間で画像データの入出力を行うための切替えキーなどが設けられている。
【００１３】
フイルムパック２５は、プラスチック製ケース２９と、これに積層して収納される例えば１０枚のモノシートタイプのインスタントフイルム２８とから構成されており、図示しないバネ板により最上層のインスタントフイルム２８がケース２９の露光開口２９ａに位置するように付勢されている。
【００１４】
インスタントフイルム２８は、本出願人などにより商品化されてすでに広く普及しており、感光シート、受像シート、及び現像処理液を内包したポッド、余剰の現像液を吸収するトラップ部を基本的な構成要素としている。そして、感光シートに露光を与えることによって光化学的に潜像を形成した後、この感光シートと受像シートとを重ね合わせ、その両者間に現像処理液を展開しながら両シートを加圧することによって受像シートにポジ画像が転写される。
【００１５】
カメラボディ１１内には、フイルムパック２５の露光開口２９ａに位置したインスタントフイルム２８にフルカラー画像を記録するプリンタ部３０が配置されている。プリンタ部３０は、マルチ発光ヘッド３１と、フイルム送り出し部３２とから構成されており、フイルム送り出し部３２によるインスタントフイルム２８の送り出しに同期させてマルチ発光ヘッド３１を駆動することにより、１回のスキャニングでフルカラー画像がインスタントフイルム２８に記録される。
【００１６】
更に、このフイルム送りで、展開ローラ３３により現像液ポッド２８ａ内の現像液が展開され、現像転写される。この現像転写済みのインスタントフイルム２８は、カメラボディ１１の上面に配置されたスリット状の排出口３５から排出される。展開ローラ３３による現像処理液の展開が行われると、その１分〜数分程度の間にインスタントフイルム２８上にポジ画像が得られる。
【００１７】
図４に示すように、フイルム送り出し部３２は、１対の展開ローラ３３とその駆動機構３４とから構成されている。展開ローラ３３及びその駆動機構３４は、例えば特開平４−１９４８３２号公報などに記載されたように、従来のインスタントカメラに用いられているものと同じでよく、その機能も全く同一である。すなわち、これらは展開モータ３６の駆動によりフイルムパック２５の中から露光済みのインスタントフイルム２８を送り出し、また送り出しながら現像処理液の展開を行うために用いられる。
【００１８】
周知のように、駆動機構３４はクロー爪及びその移動機構を含む。クロー爪は、展開モータ３６の駆動により作動して露光済みのインスタントフイルム２８の下端を上方に押し出し、インスタントフイルム２８の上端を一対の展開ローラ３３の間に送り込む。この時点で展開ローラ３３は回転しているから、以後は展開ローラ３３によってインスタントフイルム２８が上方へと搬送される。
【００１９】
展開ローラ３３は２本１組で構成され、これらを対向して配置したものであり、図示しないコイルバネの付勢によりインスタントフイルム２８を挟んだ状態で回転し、インスタントフイルム２８を排出口へ送り出す。インスタントフイルム２８の上端部分には周知のように現像処理液を内包したポッド２８ａが設けられているので、この部分が展開ローラ３３を通過することで、ポッド２８ａが破れて、現像処理液が感光シートと受像シートとの間に展開される。
【００２０】
図５に示すように、マルチ発光ヘッド３１は、その長手方向（矢印Ｍで示す主走査方向）がインスタントフイルム２８の搬送方向（矢印Ｓで示す副走査方向）に対して直交するように、フイルムパック２５の露光開口２５ａの上端近くに配置されている。なお、図５中の符号２９ａは、露光済みのインスタントフイルム２８をフイルムパック２５の外に送り出すときに前記クロー爪が入り込む切り欠きを示す。
【００２１】
図６に、マルチ発光ヘッド３１の断面を示す。マルチ発光ヘッド３１は、遮光ケース３７内に、ヘッド本体３８とヘッドドライバ３９を配置して構成されている。ヘッド本体３８は、ケース４０と発光アレイユニット４１と微小レンズアレイ４２とから構成されており、ケース４０内に発光アレイユニット４１と微小レンズアレイ４２とが紙面に直交する方向（主走査方向）で長く配置されている。発光アレイユニット４１は、赤色（Ｒ）発光アレイ４３と、緑色（Ｇ）発光アレイ４４と、青色（Ｂ）発光アレイ４５とから構成されており、これら発光アレイ４３〜４５は、副走査方向に並べて設けられている。
【００２２】
各発光アレイ４３〜４５は、微小な発光ダイオード（ＬＥＤ）を一列に主走査方向に整列させて構成されている。そして、各発光ダイオードの一個がプリントを行うときの１画素に対応している。これら各発光ダイオードは記録する画素に応じてその発光輝度及び発光時間が制御される。
【００２３】
微小レンズアレイ４２は、画素ごとのプリント光が他の画素位置まで広がることを防止する。また、微小レンズアレイ４２は、Ｒ，Ｇ，Ｂの各光をインスタントフイルムの感光面に１ラインで合焦させるように、中央部のＧ光用セルフォックレンズ４２ｂに対して、両側のＲ光用及びＢ光用のセルフォックレンズ４２ａ，４２ｃを傾斜して配置してある。
【００２４】
インスタントフイルム２８の排出送りにより副走査方向へのスキャニングを行うため、排出送り速度が変動すると露光量や露光密度が変動して濃度むらや色むらが発生する。実際のプリントにおいては、フイルム送り開始から終了までの間でフイルム送り速度が種々の要因で変化する。例えば、フイルムパックのフイルム出口に配置された遮光フラップを通過する際、現像液ポッドを破裂させる際、現像液の展開の際、余剰現像液を吸収するトラップ部の乗り越えの際などの機構的要因や、電池の消耗程度等によって、フイルム送り速度が変動する。これらの送り量変動に起因する濃度むらを無くすために、速度センサ５０と速度補正演算部５１とが設けてある。
【００２５】
速度センサ５０は、インスタントフイルム２８に転がり接触するローラと、このローラに設けたパルスエンコーダと、信号処理回路とから構成されている。信号処理回路は、パルスの検出間隔を基準クロックに基づき測定することにより、インスタントフイルムの送り速度を検出する。この送り速度信号は、図７に示すように、システムコントローラ５２を介して速度補正演算部５１に送られる。
【００２６】
速度補正演算部５１では、先ず、速度センサ５０からのインスタントフイルム２８の送り速度に基づき発光タイミングを制御するデータを作成し、速度変動にも関わらず画像データに対応した所望の濃度となるようにする。具体的には、発光タイミングを制御するデータを作成し、これをヘッドドライバ３９に送る。
【００２７】
例えば、図８（Ａ）に示すように、インスタントフイルム２８の送り速度Ｖａが（Ｂ）に示す送り速度Ｖｂのように低下したとき（Ｖｂ＜Ｖａ）には、１ラインを記録するための時間（１プリントサイクル時間）ＰＴがＰＴａ＜ＰＴｂのように長くなる。したがって、これに応じて、画素濃度に対応する露光量としての発光時間を１プリントサイクル中に分散させるようにする。
【００２８】
１プリントサイクル時間ＰＴは、画素の濃度に応じて発光ダイオードを発光させる総発光時間Ｔ１（＝Σｔ１）と、発光することのない総休止時間Ｔ２（＝Σｔ２）とから構成される。総発光時間Ｔ１は、１プリントサイクルで偏ることのないように、ほぼ同じ分割発光時間ｔ１に分けられ、これらが分割休止時間ｔ２で分散される。総発光時間Ｔ１は、記録する画素の最大濃度と最小濃度との間で変化する。
【００２９】
そして、休止間隔ｔ２がフイルム送り速度の変動に伴い変化し、フイルム送り速度が低下すると、（Ｂ）に示すように分割休止時間ｔ２ｂ（＞ｔ２ａ）が大きくなる。また、逆にフイルム送り速度が高くなると、（Ａ）に示すように分割休止時間ｔ２ａが小さくなる。したがって、ヘッドドライバ３９を介して各発光素子が上記のような制御タイミングで発光されるため、速度変動に関わらず、記録される画素の長さや濃度が変動することがなくなる。
【００３０】
図７に電子スチルカメラ１０の電気的構成の概略を示す。撮影レンズ１４の背後にＣＣＤイメージセンサ５５が位置しており、撮影レンズ１４のピント合わせによりＣＣＤイメージセンサ５５の光電面には被写体画像が結像される。ＣＣＤドライバ６０の駆動により、ＣＣＤイメージセンサ５５は光学的な被写体画像を電気的な撮像信号に変換して出力する。
【００３１】
ＣＣＤイメージセンサ５５の光電面にはＲ，Ｇ，Ｂの微小なマイクロカラーフィルタがマトリクス状に配列され、色ごとにシリアルに出力される撮像信号はアンプ６１で適当なレベルに増幅された後、Ａ／Ｄコンバータ６２によってデジタル変換される。なお、周知のようにＣＣＤドライバ６０の駆動及びＡ／Ｄコンバータ６２のサンプリングタイミングとの間には同期がとられている。
【００３２】
Ａ／Ｄコンバータ６２は撮像信号をデジタル変換して画像データを生成し、これを順次に画像データ処理回路６３に入力する。画像データ処理回路６３は、入力されてくる画像データに対してホワイトバランス調節、ガンマ補正などの信号処理を行う。画像データ処理回路６３は、さらに処理済みの画像データを基に、ＮＴＳＣ方式のコンポジット信号に対応した映像信号を生成し、これをＤ／Ａコンバータ６４，アンプ６５を経て映像信号用の出力端子６６に出力する。
【００３３】
したがって、出力端子６６に家庭用のテレビジョンを接続すれば、ＣＣＤイメージセンサ５５で撮像される連続的な画像を観察することができる。アンプ６５からの映像信号はＬＣＤドライバ６７にも入力される。ＬＣＤドライバ６７はＬＣＤパネル２１を駆動するから、ＬＣＤパネル２１には被写体画像が連続的に表示されるようになり、ＬＣＤパネル２１は電子ビューファインダとして利用される。
【００３４】
システムコントローラ３４は、上記画像データ処理回路６３を含め、この電子スチルカメラの電気的な作動を全体的に管理している。システムコントローラ５２はＩ／Ｏポート６８により操作パネル２２のキー操作入力部６９や外部接続端子群７０からの信号を監視し、入力信号に応じた信号処理を行う。
【００３５】
フラッシュメモリ７１は高速でアクセスが可能なＤＲＡＭ（Dynamic Random Access Memory）で構成され、画像データ処理回路６３から得られた画像データを１画面ごとに記憶し、例えば５０画面分の画像データを記憶できる記憶容量をもつ。装飾データメモリ７２には、被写体画像を取り囲む画面枠の形状や模様を様々な形態に変える装飾データが予め書き込まれている。
【００３６】
なお、この装飾データメモリ７２に、被写体画像の一部にキャラクタ，マーク，文字，メッセージなどを合成することができるようなデータを用意しておいてもよい。再生モード時には、フラッシュメモリ７１及び装飾データメモリ７２から読み出したデータを画像データ処理回路７３に転送することによって、これらの画像を合成してＬＣＤパネル２１に表示させることができる。
【００３７】
ヘッドドライバ３９は、システムコントローラ５２の指令によりマルチ発光ヘッド３１の各発光アレイ４３〜４５を駆動する。各発光アレイ４３〜４５には、さらにラインメモリ７４から画像データが送られるようになっており、この画像データは各発光アレイ４３〜４５を構成している発光ダイオードの個々の発光時間の制御に用いられる。ＥＥＰＲＯＭ７５には、電子スチルカメラ１０を所定のシーケンスにしたがって作動させたときに、システムコントローラ５２によって参照される各種の調整データが予め格納されている。
【００３８】
これらの調整データは、電子スチルカメラ１０の組み立て完了後の検査工程で一台ごとに調節される。こうした調整データには、例えばプリントを行うときの色ごとの補正データなどがある。モータドライバ７６は、システムコントローラ５２の管理下で展開モータ３６の駆動制御を行う。
【００３９】
次に、図９のフローチャートを参照しながら本実施形態の電子スチルカメラ１０の作用について説明する。操作パネル２２に設けられたメインスイッチの投入により電源スイッチがオンとなる。モード確認が行われ、操作パネル２２内のモード切替えキーのセット位置によって撮像モード、再生モードのいずれかに分岐する。撮像モード下では、これまでの電子スチルカメラと同様、ＣＣＤイメージセンサ５５が被写体画像を連続的に撮像し、その画像は電子ビューファインダーとして機能するＬＣＤパネル２１に表示される。
【００４０】
フレーミングを行ってシャッタボタン１７をレリーズ操作すると、その時点でＬＣＤパネル２１に表示されていた被写体画像の画像データがフラッシュメモリ７１に書き込まれる。撮像モードで使用を繰り返すことにより、フラッシュメモリ７１には最大で５０画面分の静止画像に関する画像データを記憶させることができる。なお、フラッシュメモリ７１の記憶容量に応じて、記憶できる画面数を増減させることができる。
【００４１】
フラッシュメモリ７１で記憶可能な画面数の撮像を行った後であっても、適宜のコマの画像データを消去すれば新たな撮像で得た画像データを記憶させることができる。これらの処理は、操作パネル２２からのキー入力で行うことができ、また外部接続端子群７０の出力端子に他の記憶媒体を接続しておけば、外部記憶媒体に新たな撮像で得た画像データを記憶させたり、フラッシュメモリ７１から読み出した画像データを転送して記憶させることもできる。
【００４２】
再生モード下では、操作パネル２２からのキー入力により、フラッシュメモリ７１の中から任意の画像データを選択すれば、その画像データが画像データ処理回路６３，Ｄ／Ａコンバータ６４，アンプ６５を経てＬＣＤドライバ６７に供給され、ＬＣＤパネル２１に画像表示が行われる。また、操作パネル２２からのキー入力により、装飾フレームの選択操作が行われているときには、フラッシュメモリ７１から読み出された画像データのほかに、装飾データメモリ７２から読み出された装飾フレームデータも画像データ処理回路６３に転送され、ＬＣＤパネル２１には被写体画像のほかに装飾フレームも合成して表示される。
【００４３】
被写体画像の選択、そして必要に応じて装飾フレームの選択を行った後にプリントキーを操作すると、システムコントローラ５２はプリントを開始する。先ず、フラッシュメモリ７１にアクセスして、その時点でＬＣＤパネル２１に表示されている画像に関する画像データのうち、Ｒ，Ｇ、Ｂの各色に相当する画像データを順次に読み出し、これを各色毎のラインメモリ７４に転送する。
【００４４】
また、モータドライバ７６を介して展開モータ３６を回転させる。この展開モータ３６の回転により、クロー爪によるインスタントフイルム２８の送り出しが行われるとともに、展開ローラ３３が回転される。クロー爪で押し出されたインスタントフイルム２８の上端が一対の展開ローラ３３間に入り込み、以後は展開ローラ３３の回転によってインスタントフイルム２８が搬送され、同時にポッド２８ａが破れて現像処理液の展開が行われる。クロー爪は、その移動ストロークの終端まで移動すると元の位置に戻って停止する。
【００４５】
このように、インスタントフイルム２８は、先ずクロー爪による展開ローラ３３への送り出しと、この送り出し後の展開ローラ３３の回転による送り出しとにより、排出口３５から排出される。そして、この排出による送り出しに同期させて発光アレイ４３〜４５が駆動される。
【００４６】
また、速度センサ５０によりインスタントフイルム２８の送り速度が検知され、この送り速度信号に基づき速度補正演算部５１は発光アレイ４３〜４５の発光時間制御データを速度変化に応じて求め、これをヘッドドライバ３９に送る。ヘッドドライバ３９は、補正された発光時間制御データに基づき発光アレイ４３〜４５を駆動する。
【００４７】
例えば、速度が低下するとこれに対応して、図８（Ｂ）に示すように、分割発光時間ｔ１の間隔である分割休止時間ｔ２ｂが長くされる。また、速度が速まるとこれに対応して、（Ａ）に示すように、分割休止時間ｔ２ａが短くされる。したがって、速度変動が発生しても、１ライン当たりの露光量及び露光密度はほぼ常に一定したものとなり、濃度むらや色むらの発生が抑えられる。以下、同じようにして、インスタントフイルム２８の送りに同期して、各ラインの各色画像データが読みだされ、フルカラー画像が１回のインスタントフイルムの送りで露光される。
【００４８】
展開ローラ３３で搬送されたインスタントフイルム２８は、カメラボディ１１の排出口３５から排出される。１分〜数分経過すると、被写体画像がポジ画像として受像シートに定着され、プリントキーを操作した時点でＬＣＤパネル２１に表示されていた被写体画像をハードコピーとして得ることができる。もちろん、装飾フレームが選択されている場合には、装飾フレームで囲まれた内部に被写体画像がプリントされることになる。
【００４９】
上記のように、インスタントフイルム２８を記録媒体として利用し、光プリンタで画像のハードコピーが作成できるようにすると、サーマルプリンタのように熱エネルギーを要せずに低電力でカラープリントを行うことが可能となり、携帯可能なカメラボディ１１に収容できる程度の電源電池でも充分に実用できる。したがって、撮像したその場で簡単に画像のハードコピーが得られるようになる。また、外部接続端子から画像データを入力してこれをプリントすることも可能であるから、同時に携帯型のプリンタとしても利用することができる。
【００５０】
上記実施形態では、主走査方向と平行なライン状の光を得るための発光ヘッドとして、多数の発光ダイオードを主走査方向に並べた発光アレイ４３〜４５を利用したマルチ発光ヘッド３１を用いたが、発光ダイオードの代わりに、図１０に示すように、白色発光パネル８０と、液晶アレイ８１とを組み合わせた、発光アレイユニット８２を用いてもよい。そして、液晶アレイ８１をＲ，Ｇ，Ｂの三色分８１ａ，８１ｂ，８１ｃ用意して、液晶アレイ８１の液晶セグメントの透過率及び開時間を制御して各画素毎の露光量を制御する。この場合には、発光アレイユニット８２からの各光路中に、カラーフイルタ８３を配置し、カラーフイルタ８３のＲ透過フイルタ部材８３ａにより赤色プリント光を得る。また、Ｇ透過フイルタ部材８３ｂにより緑色プリント光を、Ｂ透過フイルタ部材８３ｃにより青色プリント光を得る。なお、図６に示すものと同一構成部材には同一符号を付して重複した説明を省略している。
【００５１】
図１０のものはミラー８４，８５，８６，８７を用いて、コンパクト化を図っているが、これは図６と同じようにして省略してもよい。また、白色発光パネル８０の代わりに、白色蛍光ランプやその他の白色光源を用いてもよい。更には、Ｒ，Ｇ，Ｂの各色光を含み、しかもその光量が制御できるような光源、例えば蛍光表示管の発光原理を利用した微小な発光素子を画素ごとにライン状に配列した蛍光光源アレイを用いてもよい。
【００５２】
上記実施形態では、各色のセルフォックレンズ４２ａ〜４２ｃを傾斜して配置して微小レンズアレイ４２を構成し、これを用いて１ラインに合焦させるようにしたが、この代わりに、図１１，図１２に示すように、各色のセルフォックレンズ９０ａ〜９０ｃを平面上に並べてなるレンズアレイ９０を用いて、各色毎の３ラインとして感光面に合焦させてもよい。
【００５３】
図１１は白色発光体の発光アレイユニット８２を用いたものであり、光路中にＲ，Ｇ，Ｂのプリント光にするカラーフイルタ８３が配置してある。また、図１２は、発光ダイオードや、発光体と液晶セグメントの組み合わせによるＲ，Ｇ，Ｂの発光体アレイ９１を配置したものである。これらの実施形態では、各記録ラインに対応する画像データを各発光アレイに送って、色ずれのないようにフルカラー画像を記録する。なお、図１１，図１２における符号９２，９３，９４，９５はミラーを示している。
【００５４】
また、発光アレイユニット４１，８２における各画素毎の露光量の制御は、発光時間の制御の外に、発光量を変化させて行ってもよく、更には、発光量と発光時間との組み合わせで制御してもよい。発光量の制御は、ＬＥＤのような直接発光タイプでは電力制御により、液晶セグメントを用いて光量を絞るタイプのものでは透過率を変えることにより行う。
【００５５】
図１５及び図１６に発光ヘッドの他の構成例を示す。基板１１０に赤色発光ダイオード１１２Ｒ，緑色発光ダイオード１１２Ｇ，青色発光ダイオード１１２Ｂが実装され、これらは１ライン分の画像記録を行う間に一個ずつ駆動される。なお、各色の発光ダイオードを複数個ずつ基板１１０に実装し、これらを色ごとに一斉に駆動させるようにしてもよい。
【００５６】
基板１１０に対し、細長い直方体形状をした光導体１１３の一方の端面が対面して配置されている。光導体１１３には、透明なプラスチック又はガラスが用いられており、その長手方向がインスタントフイルム２８の搬送方向と直交する向きになっている。光導体１１３の図中上面に、例えば硫酸バリウムなどの白色の拡散反射剤を塗布した拡散反射層１１４が設けられている。
【００５７】
拡散反射層１１４は、図示のように基板１１０に近い側ほど間隔を開けたドットパターンの配列となっており、基板１１４から一定長さ離れたところからは帯状となり、しかも他端に近くなるにしたがって幅広となっている。拡散反射層１４の塗布パターンは図示した例にのみ限られない。例えば、入射端側に近づくほどドットの径を小さくしたり、入射端から他端に向かって幅が漸増する連続した帯状のパターンにすることもできる。なお、拡散反射層１１４を設ける面は、光導体１１３の底面あるいはミラー１１５に対面する側面とは逆側の側面であってもよい。また、この光導体１１３は、後述するようにその一方の側面が光射出面となるが、入射端を除く他の面から光が漏れることがないように適宜の遮光手段が併用される。
【００５８】
光導体１１３の一方の側面に対面して４５°に傾けたライン状のミラー１１５が設けられている。ミラー１１５の上方に、液晶ドットセグメントを長手方向に配列した液晶アレイ１１７と、微小レンズ１１８ａを長手方向に配列したレンズアレイ１１８が順に配置されている。液晶アレイ１１７は、１ライン分の画像記録を行う間に、各色の発光ダイオード１１２Ｒ，１１２Ｇ，１１２Ｂの駆動に同期して、赤色，緑色，青色の各色画像データに応じてドットごとに透過濃度が変化する。
【００５９】
微小レンズ１１８ａは、液晶アレイ１１７の像を液晶ドットセグメントごとにインスタントフイルム２８の感光面に結像させる作用を行う。液晶ドットセグメントは各色画像データによりその透過濃度が可変されるから、結果的に微小レンズ１１８ａはドットごとに濃度が異なる色光でインスタントフイルム２８を露光する。なお、微小レンズ１１８ａは表面にレンズ面を成形したものだけでなく、屈折率分散型のセルフォックレンズで構成することも可能である。
【００６０】
画像記録に際しては、これまでに述べてきた実施形態と同様、インスタントフイルム２８の送りに同期して各ラインの各色画像データが読み出され、赤色発光ダイオード１１２Ｒ，緑色発光ダイオード１１２Ｇ，青色発光ダイオード１１２Ｂが順次に駆動され、これに同期して液晶アレイ１１７が駆動される。それぞれの発光ダイオードから放射された色光は一方の端面から光導体１１３に入射し、光導体１１３の内面で全反射を繰り返しながら他方の端面に向かう。
【００６１】
光導体１１３中を内面反射する過程で拡散反射層１１４に入射した色光の一部はミラー１１５に向かって拡散反射する。拡散反射面１１４に入射する色光は、入射端側では光量が大きく、他端側では光量が低下する傾向をもつため、これを補正する目的で拡散反射層１１４の塗布面積を入射端側では小さく、他端側では大きくしてある。これにより、光導体１１３の一方の側面からは、光量がほぼ均一となったライン状の色光が射出され、ミラー１１５に入射する。ミラー１１５によって反射されたライン状の色光は液晶アレイ１１７に達し、液晶ドットセグメントごとの透過濃度に対応した光量制御が行われ、レンズアレイ１１８によりその色光について１ライン分の画像記録が行われることになる。
【００６２】
以上に説明してきた実施形態では、インスタントフイルム２８の排出速度の検出を転接ローラを用いて検出しているが、その他の速度検出方法を用いて排出速度のむらを検出してもよい。例えば、図１３に示すように、微小な一定ピッチでバー９６ａを配置した速度検出用トラック９６をインスタントフイルム９７に記録しておき、各バー９６ａの検出タイミングから排出速度を求めてもよい。この場合には、感光面に露光を与えることがないように、例えば投光器９８として赤外線発光器を用い、これの反射光を赤外線受光器９９により検出する。そして、この検出信号に基づき信号処理回路１００により、各バー９６ａの検出タイミングからフイルム送り速度を求める。
【００６３】
なお、速度検出用トラック９６に用いるマークはバー９６ａに限定されることなく、その他のマークを用いてもよい。また、インスタントフイルムに磁気テープ層を形成し、これに磁気的マークを記録しておき、これを磁気記録ヘッドで読み取ることにより、送り速度を検出してもよい。
【００６４】
上記実施形態では、クロー爪及び展開ローラ３３によってインスタントフイルム２８の排出時にフルカラー画像を記録したが、展開ローラ３３による排出のみを用いて、フルカラー画像を記録してもよい。この場合には、展開ローラ３３にくわえ込まれた後に、マルチ発光ヘッドを駆動して、フルカラー画像を記録する。そして、展開された現像液の影響を受けることがない範囲で発光アレイユニットを展開ローラ３３の近くに配置し、クロー爪による排出時には記録を開始することなく、展開ローラ３３による排出時にフルカラー画像の記録を開始する。
【００６５】
上記実施形態では、静止画像を撮像する電子スチルカメラに実施したものであるが、この他に、動画像を撮像するデジタルビデオカメラに本発明を実施してもよい。この場合には、動画像の中からプリント対象画像を選択して、これをハードコピーするとよい。
【００６６】
上記実施形態ではインスタントプリンタを内蔵した電子スチルカメラに本発明を実施したが、この外に、インスタントプリンタ単体に対しても、本発明を実施してもよく、この場合にも、効率よく３色面順次記録が行えるようになる。また、電子スチルカメラにインスタントプリンタを内蔵させたが、これは電子スチルカメラに着脱自在に取り付けてもよい。
【００６７】
また、図１４に示すように、本発明のマルチ発光ヘッド３１を、撮影レンズ１０１を備えた通常のインスタントカメラ１０２のフイルムパック１０３と展開ローラ１０４との間に配置して、上記のようにフイルムの送り出しの際にフイルム送りに同期させてデジタルプリントを行うようにしてもよい。この場合にも、フイルムの送り速度の変動を検出する速度センサ１０５を設け、この速度センサ１０５に基づき発光タイミングを制御し、速度変動による濃度むらなどの発生を抑える。この場合には、通常のインスタントカメラ１０２として撮影する外に、他の電子カメラ等で撮像した画像に基づきデジタルプリントが可能になる。更には、このデジタルプリント部を有するインスタントカメラ１０２に、被写体画像を撮像して撮像信号を出力するイメージセンサ、前記撮像信号をデジタル変換した画像データを記憶するメモリを有する電子撮像部を一体的又は分離可能に設けてもよい。
【００６８】
【発明の効果】
本発明によれば、主走査方向に色ごとにライン状の光を発する発光ヘッドを展開ローラの近くに配置し、現像転写のためのインスタントフイルムの送り出しの際に、この送りに同期させて前記発光ヘッドを駆動するようにしたから、現像転写のためのフイルム送り出しを利用して、複数色のデジタルプリントが可能になる。しかも、発光ヘッドを副走査方向に移動させる必要がなく、構成が簡単になる。
【００６９】
発光ヘッドとして、多数の発光素子を主走査方向に並べたマルチ発光ヘッドを用いた場合には、発光素子の光量制御を行うだけで濃淡画像をプリントすることが可能であり、また、インスタントフイルムの送り速度に応じてマルチ発光ヘッドの発光部の発光量又は発光時間を制御して送り速度むらによる濃度むら及び色むらの発生を抑えることができるため、速度変動が発生しやすい現像液の展開時でも、デジタルプリントが可能になる。
【００７０】
さらに、発光素子として白色発光体を用いたり、また拡散反射層を併設した光導体を利用した発光ヘッドを用いると、発光ヘッドの構成が簡単になりローコスト化を図るうえで有利となる。そして、これらの発光ヘッドを用いた場合であっても、インスタントフイルムの送り速度に応じて１ラインごとの光量を制御することができるので、現像液の展開時でも濃度むらや色むらのない適正なデジタルプリントが可能となる。
【００７１】
特に、フイルム送り方向に沿って一定ピッチでマークを配置した速度検出用トラックを備えたインタントフイルムを用い、この速度検出用トラックに基づきインスタントフイルムの送り速度を検出することにより、簡単な構成で速度変動を検出することができる。この場合、速度検出用トラックを赤外線を用いて検出することにより、感光面の露光を防止することができる。
【図面の簡単な説明】
【図１】本発明のインスタントプリンタを内蔵した電子スチルカメラの要部を示す縦断面図である。
【図２】同電子スチルカメラを前側から見た状態を示す斜視図である。
【図３】同電子スチルカメラを後側から見た状態を示す斜視図である。
【図４】カメラボディ内の各機構部のレイアウトを示す説明図である。
【図５】プリント部の概略を示す斜視図である。
【図６】発光アレイユニットを示す断面図である。
【図７】電子スチルカメラの電気的構成を示すブロック図である。
【図８】インスタントフイルムの速度変動による発光アレイの発光タイミングを示す説明図である。
【図９】電子スチルカメラの処理の流れを示すフローチャートである。
【図１０】他の実施形態における発光アレイユニットを示す縦断面図である。
【図１１】他の実施形態における発光アレイユニットを示す縦断面図である。
【図１２】他の実施形態における発光アレイユニットを示す縦断面図である。
【図１３】速度検出用トラックを用いて速度変動を検出する他の実施形態の要部を示す概略図である。
【図１４】インスタントカメラにプリント部を配置した他の実施形態を示す要部の縦断面図である。
【図１５】マルチ発光ヘッドの他の例を示す概略斜視図である。
【図１６】図１５に示すマルチ発光ヘッドの要部断面図である。
【符号の説明】
１０  電子スチルカメラ
１１  カメラボディ
１４  撮影レンズ
１５  撮像部
１７  シャッタボタン
２５  フイルムパック
２８  インスタントフイルム
３０  プリンタ部
３１  マルチ発光ヘッド
３２  送り出し部
３３  展開ローラ
３５  フイルム排出口
４１，８２  発光アレイユニット
４２  微小レンズアレイ
５０  速度センサ
５１  発光時間補正部
９５  バー
９６  速度検出用トラック
１１３  光導体
１１４  拡散反射面
１１５  ミラー
１１７  液晶アレイ
１１８  レンズアレイ
【図１】
0003818563.tif 000002
【図２】
0003818563.tif 000003
【図３】
0003818563.tif 000004
【図４】
0003818563.tif 000005
【図５】
0003818563.tif 000006
【図６】
0003818563.tif 000007
【図７】
0003818563.tif 000008
【図８】
0003818563.tif 000009
【図９】
0003818563.tif 000010
【図１０】
0003818563.tif 000011
【図１１】
0003818563.tif 000012
【図１２】
0003818563.tif 000013
【図１３】
0003818563.tif 000014
【図１４】
0003818563.tif 000015
【図１５】
0003818563.tif 000016
【図１６】
0003818563.tif 000017